(57)【要約】【課題】無線周波数応答素子が再帰反射素子に近接した、容易に識別可能な組合せタグの視覚情報および電子情報を与えるシステムの実現。【解決手段】組合せタグ10は、光学物品13と反射層15とを備えた再帰反射物品12を含む。光学物品は、光学面16と、構造化表面とを有する。たとえば、光学物品は、光学素子として、ガラス微小球（光学ビーズ）またはキューブコーナ反射体を含むことができる。反射層は、光学物品の構造化表面の少なくとも一部に付着されている。たとえば、反射層は、非接触金属層を含むことができる。組合せタグは、また、アンテナ24と、集積回路22とを含む。無線周波数応答素子14は、問合せシステムが無線周波数応答素子から情報を得ることができるように適合された情報記憶能力および情報伝送能力を有する。無線周波数応答素子は、光学物品の光学面または裏面の一方に結合されている。【選択図】図１
2010204688.tif 000002
【特許請求の範囲】
【請求項１】
光学物品と反射層とを有する再帰反射物品であって、
前記光学物品が、光学面と、反対側の裏面と、前記光学面および前記裏面の一方と同一の広がりをもつ構造化表面とを含み、
前記反射層が、前記光学物品の構造化表面の少なくとも一部に付着される、再帰反射物品と、
アンテナと、集積回路とを含む無線周波数応答素子であって、問合せシステムが前記無線周波数応答素子から情報を得ることができるように適合された情報記憶能力および情報伝送能力を有する無線周波数応答素子とを備え、
前記無線周波数応答素子が、前記再帰反射物品の光学面または裏面の一方に結合されている組合せタグ。
【請求項２】
前記反射層が、不連続金属層を含む、請求項１に記載の組合せタグ。
【請求項３】
前記反射層が金属化インクである、請求項２に記載の組合せタグ。
【請求項４】
前記反射層の金属含有量が、約１０体積％から１４体積％である、請求項３に記載の組合せタグ。
【請求項５】
前記金属が銀である、請求項３に記載の組合せタグ。
【請求項６】
前記光学物品が、スペーシング樹脂に埋込まれたガラス微小球を含み、前記光学面および裏面が、前記スペーシング樹脂から形成されている、請求項１に記載の組合せタグ。
【請求項７】
前記反射層が、前記スペーシング樹脂の少なくとも一部に直接付着されている、請求項６に記載の組合せタグ。
【請求項８】
前記光学物品上に配置されたセキュリティ表示をさらに含む、請求項１に記載の組合せタグ。
【請求項９】
光学物品と反射層とを有する再帰反射物品であって、
前記光学物品が、微小球を含む光学素子を備え、前記光学物品が光学面と反対側の構造化裏面とを有し、
前記反射層が、前記光学物品の前記構造化裏面の少なくとも一部に付着された不連続金属化層である、再帰反射物品と、
前記物品の裏面に結合された無線周波数応答素子であって、アンテナと、集積回路とを含み、問合せシステムが前記無線周波数応答素子から情報を得ることができるように適合された情報記憶能力および情報伝送能力を有する無線周波数応答素子とを含む組合せタグ。
【発明の詳細な説明】
【技術分野】
【０００１】
本開示は、再帰反射特徴および無線周波数応答特徴の両方を有する物品に関する。より特定的には、本開示は、不正防止および情報検索のために使用するのに適した、再帰反射特徴および無線周波数応答特徴を組入れた、窓用ステッカーとして使用するように適合されたセキュリティタグに関する。
【背景技術】
【０００２】
車両ライセンスプレートは、車両および対応する車両の所有者を識別するために通常使用される１つの典型的な物品である。車両ライセンスプレートは、典型的には、ライセンスナンバー、および登録の州、地域、または国、ならびに所有者が現在のライセンスプレートを有するかを含む、限られた量の視覚情報を伝える。ライセンスプレートは、典型的には、再帰反射シートから形成され、セキュリティ特徴を有する。ＲＦＩＤ技術と呼ばれることがある無線周波数識別技術は、さまざまな商業的用途があり、典型的には、物体識別および限られた距離からのトラッキングのために用いられる。無線周波数応答素子は、物体を識別する電子情報を含むことができる。
【発明の概要】
【発明が解決しようとする課題】
【０００３】
ライセンスプレートまたはＲＦＩＤ技術によって現在与えられる付加的なセキュリティおよび情報を与える必要がある。再帰反射特徴およびＲＦＩＤ技術の両方を組入れたタグが、米国特許出願第０９／９７４，３８５号明細書に記載されており、これを引用によりここに援用する。再帰反射特徴は、視覚情報を伝え、ＲＦＩＤ技術は、電子情報を伝える。金属化再帰反射物品を無線周波数応答素子と結合する際に困難がある。ライセンスプレートシーティングなどの多くの従来の再帰反射物品は、金属化再帰反射物品の約６ｍｍすなわち４分の１インチ以内に配置されると、無線周波数応答素子を離調するか、無線周波数応答素子の性能に悪影響を及ぼす傾向がある。
【課題を解決するための手段】
【０００４】
本開示は、無線周波数応答素子が再帰反射素子に近接した、容易に識別可能な組合せタグの視覚情報および電子情報を与えるシステムを含む。組合せタグは、光学物品と反射層とを備えた再帰反射物品を含む。光学物品は、光学面と、反対側の裏面とを有する。構造化表面が、光学面または裏面と同一の広がりをもつ。一例において、光学物品は、光学素子として、ガラス微小球（光学ビーズ）またはキューブコーナ反射体を含むことができる。反射層は、裏面の少なくとも一部に付着され、裏面は、また、光学物品の、この例では構造化表面である。反射層は、非接触金属層を含むことができる。組合せタグは、また、無線周波数応答素子を含む。無線周波数応答素子は、アンテナと、集積回路とを含む。無線周波数応答素子は、問合せシステムが無線周波数応答素子から情報を得ることができるように適合された情報記憶能力および情報伝送能力を有する。無線周波数応答素子は、光学物品の光学面または裏面の一方に結合されている。組合せタグは、無線周波数応答素子が再帰反射物品の６ｍｍ以内にある場合でも、動作可能である。
【０００５】
このシステムには、いくつかの利点がある。これらの利点の一例として、組合せタグの全面が再帰反射性であることができ、タグは、依然として薄いことが挙げられる。したがって、視覚情報が容易に識別可能である。視覚情報および電子情報をともに用いて、車両登録を確認することができる。視覚情報を電子情報と比較して、タグが正当であることを確かめることができる。さらに、登録、税または保険の支払い時に電子情報を更新することができ、即時の確認方法を提供することができる。他の利点が企図される。
【図面の簡単な説明】
【０００６】
【図１】組合せタグのブロック図を示す。
【図２】図１のタグの平面図を示す。
【図３】図１のタグに使用される無線周波数応答素子の概略平面図を示す。
【図４】図３の無線周波数応答素子と相互作用するＲＦＩＤ問合せシステムのブロック図である。
【図５】図１のタグの一例の概略側断面図である。
【図６】図１のタグの別の例の概略側断面図である。
【発明を実施するための形態】
【０００７】
本開示の組合せタグは、再帰反射物品および無線周波数信号に応答する素子の両方を組入れて、確実な車両識別システムを形成する。図１は、そのような組合せタグ１０のブロック図を示す。タグ１０は、無線周波数応答素子１４に動作可能に結合された再帰反射物品１２を含む。再帰反射物品１２は、光学面１６を含み、光線１８で示された、光学面１６上にさまざまな角度で入射する光が、光線２０で示された、概ね逆平行に反射され、光源（図示せず）の方に戻される。再帰反射物品１２は、光学物品１３と、反射層１５とを含む。光学物品１３は、光学面１６と、反対側の裏面１７とを含む。光学面１６または裏面１７の一方が、構造化表面である。反射層１５は、構造化表面、この例では裏面の少なくとも一部に付着されている。無線周波数応答素子１４は、情報記憶能力および情報伝送能力を有し、ファントム（二点鎖線）で示された集積回路２２と、アンテナ２４とを含む。素子１４は、問合せシステムが、電磁波２６、２７で示され、以下でより詳細に説明される、素子からの情報を得ることができるように適合されている。無線周波数応答素子１４は、光学物品の裏面１７に結合され、すなわち、直接または間接的に取付けられている。
【０００８】
図２は、タグ１０の一例の平面図を示す。タグ１０は、再帰反射物品１２と、再帰反射物品１２の裏面に取付けられたようにファントムで示された無線周波数応答物品１４とを含む。再帰反射物品１２は、示された例ではメキシコのライセンスプレートの形態の共通の背景表示（ｂａｃｋｇｒｏｕｎｄ  ｉｎｄｉｃｉａ）３４およびタグ特定表示３６などの印刷表示３２を含む。感圧接着剤３８が、タグ１０を被覆する。この例では、再帰反射物品１２および無線周波数応答素子１４を使用して、車両登録を確認することができる。無線周波数応答素子１４を電子的に読取ることができ、情報をライセンスプレートおよび車両識別ナンバーと比較して、それが正当であることを確かめることができる。示された例では、登録、税または保険の支払い時に無線周波数応答素子１４を更新することができ、法執行官のための即時の確認方法を提供することができる。
【０００９】
無線周波数応答素子は、能動的であっても受動的であってもよい。能動タグは、バッテリーなどの付加的なエネルギー源をタグ構造に組入れる。このエネルギー源により、能動無線周波数応答素子が、問合せ無線周波数フィールドが弱い領域でも、強い応答信号を生成し、伝送することができ、したがって、能動無線周波数応答素子を、より大きい範囲で検出することができる。しかし、バッテリーの比較的短い寿命により、タグの有用な寿命が制限される。さらに、バッテリーにより、タグのサイズおよびコストが増大する。受動素子は、問合せ無線周波数フィールドから、素子を作動させるのに必要なエネルギーを取り出し、そのエネルギーを使用して、アンテナが問合せフィールドに与えるインピーダンスを変調し、それにより、反射して戻される信号を変調することによって、応答コードをリーダアンテナに伝送する。したがって、それらの範囲がさらに制限される。受動素子が多くの用途で好ましいので、説明の残りをこの種類の素子に限る。しかし、当業者は、これらの２つのタイプの素子が、多くの特徴を共有し、両方を本開示の例に使用できることを認識するであろう。
【００１０】
図３に示されているように、受動無線周波数応答素子１４は、典型的には、２つの構成要素、すなわち、集積回路２２およびアンテナ２４を含む。集積回路は、主識別機能を行う。それは、タグ識別および他の望ましい情報を永久的に記憶し、問合せハードウェアから受取られたコマンドを解釈し、処理し、問合せ装置による情報の要求に応答し、多数のタグが同時に問合せに応答することから生じる競合を解消する際にハードウェアを助けるためのファームウェアおよび回路を含む。任意に、集積回路は、情報を読出すだけ（リードオンリー）とは対照的に、そのメモリに記憶された情報を更新する（リード／ライト）のに備えてもよい。無線周波数応答素子に使用するのに適した集積回路としては、とりわけ、テキサス・インスツルメンツ（Ｔｅｘａｓ  Ｉｎｓｔｒｕｍｅｎｔｓ）（その製品のタイリス（ＴＩＲＩＳ）ライン）、フィリップス（Ｐｈｉｌｉｐｓ）（その製品のマイフェア（Ｍｉｆａｒｅ）およびハイタグ（Ｈｉｔａｇ）ライン）、モトローラ／インダーラ（Ｍｏｔｏｒｏｌａ／Ｉｎｄａｌａ）、およびシングル・チップ・システムズ（Ｓｉｎｇｌｅ  Ｃｈｉｐ  Ｓｙｓｔｅｍｓ）から入手可能なものが挙げられる。一例が、商品名＃ＲＩ−Ｉ０１−１１０Ａで販売されるテキサス・インスツルメンツのタグである。
【００１１】
アンテナのジオメトリおよび特性は、タグの無線周波数応答部分の所望の動作周波数に依存する。たとえば、２．４５ＧＨｚ（または同様の）無線周波数応答素子は、典型的には、リニアダイポールアンテナ（図示せず）または折返しダイポールアンテナ（図示せず）などのダイポールアンテナを含むであろう。１３．５６ＭＨｚ（または同様の）無線周波数応答素子は、螺旋またはコイルアンテナ２４を使用するであろう。いずれの場合も、アンテナ２４は、問合せ源によって放射された無線周波数エネルギーを傍受する。この信号エネルギーは、パワーおよびコマンドの両方をタグに搬送する。アンテナにより、無線周波数応答素子が、集積回路（ＩＣ）チップを作動させるのに十分なエネルギーを吸収し、それにより、検出されるべき応答を与えることができる。したがって、アンテナの特徴は、それが組入れられたシステムに適合しなければならない。高いＭＨｚからＧＨｚの範囲で動作するタグの場合、重要な特徴が、アンテナ長さである。典型的には、ダイポールアンテナの効果的な長さは、問合せ信号の１つまたは複数の半波長に近いように選択される。サイズ制限によって半波長アンテナが実用的でない、低から中のＭＨｚ領域（たとえば、１３．５６ＭＨｚ）で動作するタグの場合、重要な特徴は、アンテナインダクタンスおよびアンテナコイルの巻き数である。両方のアンテナタイプに、良好な導電性が必要である。典型的には、銅またはアルミニウムなどの金属が使用されるが、パーマロイなどの磁性金属を含む他の導体も受入れられる。最大エネルギー移動のために、選択されたＩＣチップの入力インピーダンスが、アンテナのインピーダンスと整合することも重要である。
【００１２】
マーカーの性能を高めるために、キャパシタ３０が含まれることが多い。キャパシタ３０は、存在する場合、タグの動作周波数を特定の値に同調させる。これは、最大動作範囲を得、規制要件に従うのを確実にする上で望ましい。キャパシタは、別個の構成要素であってもよいし、以下で説明されるようにアンテナに一体化させてもよい。いくつかのタグ設計、特に、２．４５ＧＨｚなどの非常に高い周波数で動作するように設計されたタグにおいては、同調キャパシタが必要でない。キャパシタは、アンテナによって与えられたインダクタンスに結合される時に、下記式で示された、複合構造の共振周波数が、
【数１】
2010204688.tif 000003
ここで
Ｃ＝キャパシタンス（単位ファラド）
Ｌ＝インダクタンス（単位ヘンリー）
ＲＦＩＤシステムの所望の動作周波数に厳密に一致するように選択される。キャパシタは、また、３Ｍに譲渡された米国特許第４，５９８，２７６号明細書（テート（Ｔａｉｔ）ら）および同第４，５７８，６５４号明細書（テート（Ｔａｉｔ）ら）に記載されているような分布キャパシタであってもよい。分布キャパシタンスは、タグサイズ、特に厚さを減少させ、手動組立てを最小にする上で望ましい。
【００１３】
動作中、図４に示されているように、無線周波数応答タグ１０は、典型的にはタグをモニタすべきポイントの近くに配置された電子物品セキュリティシステム３００によって問合される。ハンドヘルド検出デバイスを使用してもよい。問合せ源３０２（典型的には、駆動発振器と、増幅器とを含む）が、問合せゾーン内で交流無線周波数フィールドまたは問合せ信号を伝送するためのアンテナ３０４（界磁コイルと説明されることがある）に結合されている。システム３００は、また、信号を受取るためのアンテナ（アンテナ３０４として示され、受信コイルとして説明されることがある）と、問合せゾーン内でタグによって発生された信号を処理するための検出器３０６とを含む。
【００１４】
問合せ源３０２は、他の適用を妨げず、かつ、適用可能な政府規制に従うので好ましい、ある既知の周波数帯域内で選択してもよい問合せ信号３１０を伝送する。無線周波数応答素子は、問合せ信号を受取ると、それ自身の応答コード信号３１２を伝送し、それは、アンテナ３０４によって受取られ、検出器３０６に伝送される。検出器は、応答をデコードし、（典型的には、コンピュータまたは他のメモリデバイス３０８内に記憶された情報に基いて）タグを識別し、検出されたコード信号に基いて動作を行う。たとえば、示された１つのアンテナ３０４の代わりに、問合せ源３０２および検出器３０６用の別個のアンテナを使用することを含む、示されたシステムのさまざまな変形例が、当業者に知られている。
【００１５】
図５は、再帰反射物品４２と、再帰反射物品４２の裏面に結合された無線周波数応答素子４４とを備えたタグ４０の一例の概略側断面図を示す。タグ４０は、図１のタグ１０の一例である。無線周波数応答素子４４は、図３に関して上述されたものであってもよい。再帰反射物品４２は、光学物品４３と、反射層４５とを含む。
【００１６】
光学物品４３は、光学面４６と、反対側の構造化裏面４７とを含む。この例に示された光学物品４３は、タグ４０に使用するのに適した微小球タイプ再帰反射体のいくつかの形態のうちの１つである。この例において、光学物品４３は、たとえばポリビニルブチラールまたはポリエステルを含むスペーシング樹脂４９でコーティングされた、ガラスから形成できる球などの光学素子４８の密閉された単層を含む。好ましくは、球４８および樹脂４９は、実質的に透明である。当該技術において知られているように、光学面４６は、概ね滑らかになるように形成され、構造化裏面４７は、球４８に概ね適合するように構成されている。光学面４６および裏面４７は、球４８が樹脂内に密閉されるように、スペーシング樹脂４９上に形成されている。そのような物品の一例が、３７５０と呼ばれるが、反射層がないミネソタ州セント・ポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ  ｏｆ  Ｓｔ．Ｐａｕｌ，Ｍｉｎｎｅｓｏｔａ）の再帰反射シートである。
【００１７】
微小球タイプ再帰反射物品の変形例が企図される。たとえば、光学球をスペーシング樹脂内に部分的に埋込み、ビードボンド層でコーティングして、スペーシング樹脂が反射体層とビードボンド層との間にあるようにすることができる。ビードボンド層は、再帰反射物品に、周囲光で着色外観を与え、再帰反射光で銀などの異なった外観を与える着色顔料を含有することができる。再帰反射物品の別の変更は、微小球の露出した単層を含む。
【００１８】
光学物品４３の変形例も企図される。図６は、図５と同様の構造を有するが、キューブコーナ光学物品５３と、反射層４５とを含むキューブコーナ再帰反射体５２を備えたタグ５０の一例を示す。キューブコーナ光学物品は、キューブコーナ素子の形態の光学素子５４を含む。キューブコーナ再帰反射体５２は、ビニル、ポリカーボネート、アクリレート、または他の材料などの適切な熱可塑性材料から形成することができるし、ウレタンオリゴマー、エポキシオリゴマー、ポリエステルオリゴマー、およびアクリレートオリゴマー、またはウレタンモノマー、エポキシモノマー、ポリエステルモノマー、およびアクリレートモノマーなどの材料を硬化させることによって形成することができる。キューブコーナ素子５４は、典型的には、光を光源の方に再帰反射するように協働する３つの相互に垂直な面を有する。示された例において、光学物品５２は、キューブコーナ素子５４を含むモノリシック部材である。代わりに、キューブコーナ素子を裏材に取付けて、再帰反射体を形成することができる。この場合、キューブコーナ素子を、裏材を形成するのに使用される材料以外の材料から形成してもよい。物品５２は、光学面５６に取付けられたオーバーレイ（図示せず）を含むことができる。物品５２は、また、構造化裏面５７を含む。
【００１９】
キューブコーナ再帰反射体タイプ光学物品５２の変形例が企図される。たとえば、図６は、光学素子を、裏面が構造化表面である、当該技術において知られているキューブコーナプリズムとして示す。光学物品は、また、当該技術において知られているように、キューブコーナプリズムの逆であるキューブコーナキャビティのシートであってもよい。キューブコーナプリズムを使用する場合、光学面は、構造化表面と同一の広がりをもつようになり、反射層は、その場合は裏面の反対側の、キューブコーナプリズム素子の光学面上に付着される。
【００２０】
図６と同じ素子に、同じ参照番号が与えられた図５を参照すると、正反射層４５が構造化裏面４７上に付着されている。反射層４５は、光学物品４３の少なくとも一部の上に直接付着されている。たとえば、光学物品の一部は、構造化表面上に直接付着された、以下で説明されるセキュリティマーク５８を含むことができる。図５において、光が、スペーシング樹脂４９の光学面４６を通って再帰反射物品４２に入り、微小球４８によって集束される。次に、光は、反射層４５によって反射され、微小球４８およびスペーシング樹脂４９を通って、光源の方に戻される。図６において、光学面５６を通ってキューブコーナ光学物品５２に入る光は、キューブコーナ素子５４の３つの相互に垂直な面から正反射され、光源の方に戻される。
【００２１】
反射層４５は、単に、わずかな再帰反射が望まれる用途のための白色インクまたはコーティングなどの拡散反射する顔料であってもよい。単に拡散反射する反射層の場合、比較的小量の入射光が、光源の方に向けて戻される。拡散反射する反射層は、金属を含まなくてもよい。
【００２２】
反射層４５は、物品の再帰反射性を高めるために、金属化インクを含有することができる。金属化インクは、構造化表面のかなりの部分の上に連続金属層を形成しないように構造化表面上に付着された非接触金属粒子を含む。非接触金属層の一例が、ともにすべて電気的に接続されていない、ランダムに散乱した金属粒子である。非接触金属層は、正反射することができ、無線周波数応答素子を離調することができない。
【００２３】
金属化インクは、一般に、反射体コートとして機能する金属粒子のあるパーセンテージとともに、塗料バインダーのようなポリマー担体を含む。実験により、インク中の金属のパーセンテージがより大きいと、無線周波数応答素子の読取り距離が減少することが示された。すなわち、インク中の金属のパーセンテージが増加すると、無線周波数応答素子の効率が低下する。たとえば、インク中の金属の１０％濃度は、金属のないインクと比較して、読取り距離の約１０％の損失を示す。しかし、金属のパーセンテージは、再帰反射の量に直接関連する。さらに、金属のパーセンテージは、再帰反射下でないときに、タグの外観の粒状性に直接関連する。さらに、インクのコストは、いくつかの例では純銀である金属の量に直接関連することが多い。金属含有量が約１０体積％から１４体積％のインクは、無線周波数応答素子の効率、再帰反射、望ましい外観、および経済性の１つの好ましい組合せをもたらす。
【００２４】
反射体層に使用可能な金属化インクの例としては、アクゾ・ノーベル（Ａｋｚｏ  Ｎｏｂｅｌ）（ミネソタ州プリマス（Ｐｌｙｍｏｕｔｈ，Ｍｉｎｎｅｓｏｔａ）を含む世界中の場所）から入手可能なインクが挙げられる。これらのインクは、商品名ＭＵＦＰ０８７７メタルグロー（Ｍｅｔａｌｇｌｏｗ）８７７シルバー（Ｓｉｌｖｅｒ）ＵＶフレキソ印刷インク、ＭＧＵＰ０８７７メタルルア（Ｍｅｔａｌｌｕｒｅ）８７７シルバーＵＶフレキソ印刷インク、またはＷＭＪ０２００３メタルグロー８７７シルバー水ベースフレキソ印刷インクで販売されている。これらのインク中の金属は、銀、アルミニウム、または他の金属であり、非接触金属層の正反射面をもたらす。インクは、不透明な白色インクなどの他のインクと混合して、光学面４６から見たときに所望の外観または「拡散した様子」を備えた拡散色を形成することができる。上記の商品名ＭＧＵＰ０８７７で販売されるインクは、約１２体積％の銀を有するが、蒸気コーティングされた再帰反射シーティングと視覚的に近い再帰反射値をもたらす。
【００２５】
インクは、イメージを備えたプレートを光学物品４３上にプレスする、通常利用可能なフレキソ印刷プロセスなどの、さまざまな方法で付与することができる。インクを、当該技術において知られているように、空気乾燥させるか、紫外線硬化によって乾燥させる。これらのプロセスは、厳しくなく、キューブコーナ物品およびビーズ付再帰反射体を金属化するのに使用することができる。
【００２６】
このプロセスにより、非常にさまざまなセキュリティマーク５８を、再帰反射物品４２に加えることができる。金属化層を再帰反射物品上に蒸気コーティングする、たとえば強度の熱の、厳しいプロセスは、いくつかのセキュリティ特徴を破壊することがある。反射層を付与する前に、フレキソ印刷方法を用いるか、ステッカーによって、真珠光沢、虹色、色切替、燐光性、ＵＶ可視、ホログラム、および他などのパターニングされたコーティングの形態のセキュリティマーク５８を、シーティングのビーズ側に配置して、光学面からシーティングを通して見えるようにすることができる。そのようなマーキングは、裸眼での識別の確実性のために使用可能である。セキュリティマーキングの別のシステムは、シーティングの再帰反射率の変更を用いて使用することができる。光学面から見たときに同じ外観を備えたコーティングは、異なった反射体コーティングを用いることによって、非常に異なった再帰反射値を有するようにすることができる。再帰反射の差は、再帰反射光を用いて見たときに、より明るいマークおよびより明るくないマークのパターニング領域として見ることができる。さらに、一般に透明なパターニングされた色を反射体層に付与することができ、これは、拡散光で見え、再帰反射光で一般に見えない。より大きいセキュリティのために、１を超えるタイプのセキュリティマークを使用することができる。
【００２７】
示された例の無線周波数応答素子４４は、接着剤５９で構造化裏面４７に接着されている。示された例において、接着剤５９は、反射層４５およびセキュリティマーク５８に付与されたアクリレート接着剤である。無線周波数応答素子４４は、光学面からタグを見たときに無線周波数応答素子４４をさらに見えにくくするために、不透明なインクなどのコーティング６０を含むことができる。この例において、コーティング６０は、白色インクである。裏材６２も、無線周波数応答素子４４および構造化裏面４７に接着されている。示されたような裏材６２は、リトラマ（Ｒｉｔｒａｍａ）から入手可能なポリプロピレン紙などのポリマー紙であるが、他の裏材を使用することができる。
【００２８】
光学面４６は、背景表示６４と、タグ特定表示６６と、接着剤６８とを含む。背景表示６４は、一般に、特定のタイプのタグに共通である。たとえば、メキシコのライセンスプレートのスタイルを、メキシコの各タグに印刷することができる。背景表示６４は、当該技術において知られているフレキソ印刷プロセスなどのさまざまなプロセスを用いて、タグに付与することができる。タグ特定表示６６は、特定のライセンスプレートナンバーなどの情報を含むことができる。タグ特定表示６６は、熱転写などのさまざまなプロセスを用いて、背景表示６４の上に付与することができる。アクリレート接着剤などの接着剤６８が、タグを被覆し、タグを車両の窓の内側に貼るために使用される。代わりに、タグを車両の外側に取付けるべき場合、裏材６２を除去することができるか、接着剤６８の代わりに別の接着剤を裏材６２に付与することができる。
【００２９】
開示された実施形態のさまざまな変形例および組合せは、当業者に明らかであり、それらの修正は、添付の特許請求の範囲に規定された本発明の範囲内であることが意図される。
【図１】
2010204688.tif 000004
【図２】
2010204688.tif 000005
【図３】
2010204688.tif 000006
【図４】
2010204688.tif 000007
【図５】
2010204688.tif 000008
【図６】
2010204688.tif 000009
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
光学物品と反射層とを有し、前記光学物品が、光学面と、反対側の裏面と、前記光学面および前記裏面の一方と同一の広がりをもつ構造化表面とを含み、前記反射層が、前記光学物品の構造化表面の少なくとも一部に付着される金属化インクを備え、前記金属化インクが、ポリマー担体と、非接触金属粒子とを含む再帰反射物品と、
アンテナと、集積回路とを含む無線周波数応答素子であって、問合せシステムが前記無線周波数応答素子から情報を得ることができるように適合された情報記憶能力および情報伝送能力を有する無線周波数応答素子と、を備え、
前記無線周波数応答素子が、前記再帰反射物品の光学面または裏面の一方に結合され、
前記反射層の金属含有量が、約１０体積％から１４体積％である組合せタグ。
【請求項２】
光学物品と反射層とを有し、前記光学物品が、光学面と、反対側の裏面と、前記光学面および前記裏面の一方と同一の広がりをもつ構造化表面とを含み、前記反射層が、前記光学物品の構造化表面の少なくとも一部に付着される金属化インクを備え、前記金属化インクが、ポリマー担体と、非接触金属粒子とを含む再帰反射物品と、
アンテナと、集積回路とを含む無線周波数応答素子であって、問合せシステムが前記無線周波数応答素子から情報を得ることができるように適合された情報記憶能力および情報伝送能力を有する無線周波数応答素子と、を備え、
前記無線周波数応答素子が、前記再帰反射物品の光学面または裏面の一方に結合され、
前記光学物品が、スペーシング樹脂に埋込まれたガラス微小球を含み、前記光学面および裏面が、前記スペーシング樹脂から形成されており、
前記反射層が、前記スペーシング樹脂の少なくとも一部に直接付着されている組合せタグ。